(57)【特許請求の範囲】
【請求項１】
パチンコ機に装着される回路基板を樹脂製の基台とケースカバーとで収納した基板収納ケースであって、
前記回路基板に、該回路基板に配設された発熱部品に当接固着すると共にその一端部が前記ケースカバーの天板部分の内側面に近接した位置まで延設される放熱板を配置する一方、
前記ケースカバーの天板部分の外側に、放熱効果の高い金属製の放熱部材を設け、
該放熱部材と前記放熱板の一端部とを前記ケースカバーを貫通するビスによって連結したことを特徴とするパチンコ機における基板収納ケース。
【請求項２】
請求項１に記載のパチンコ機における基板収納ケースにおいて、
前記放熱部材には、放熱用のフィンが一体的に形成されていることを特徴とするパチンコ機における基板収納ケース。
【発明の詳細な説明】
【０００１】
【発明の属する技術分野】
本発明はパチンコ機に関し、詳しくは、パチンコ機に装備される基板収納ケースの放熱機構に関する。
【０００２】
【従来の技術】
パチンコ機には所謂パチンコ遊技を実施するための数多くの電気部品、装置類が装着されている。これら装置類の動作は、目的および用途に応じて構築された種々の回路基板によって制御されている。通常、これら回路基板は、防塵性や取付け容易性の観点からパチンコ機の裏面に装備されている基板収納ケースに収納されており、当該基板収納ケース本体の外形を形成する樹脂製の外壁部（外装部）によって被覆されている。
【０００３】
ところで、パチンコ機に使用される回路基板には、通常、レギュレータＩＣやトランジスタ（ＦＥＴ等）のような通電時に発熱する電装部品（以下「発熱部品」という。）が配設されており、このような回路基板を収納した基板収納ケースでは通電時において当該発熱部品の発熱によってかなりの熱量が生じることとなる。その結果、当該ケース内の温度は相当レベルにまで上昇し得、回路基板に使用されている上記発熱部品その他の部品の劣化を早めるおそれがある。このため、従来のパチンコ機に装備されている上記基板収納ケースにおいては、上記発熱部品から生じた熱を外部に放熱するための種々の対策が講じられている。
【０００４】
例えば、実開昭６３−１８１７４号公報には、内部に回路基板を収納した基板収納ケースであって、回路基板に配設された発熱部品を当該ケースの内部空間拡張のために設けられた突出部分に配置するとともに当該ケース外壁部に放熱用の孔およびスリットを多数穿設したことを特徴とする基板収納ケースが開示されている。このような放熱機構を備えた基板収納ケースにおいては、上記放熱用の孔およびスリットを介してケース内部の熱が外部へ自然放熱されるため、ある程度の放熱効果は認められる。
【０００５】
【発明が解決しようとする課題】
しかしながら、パチンコ機に装備される基板収納ケースにおいては、不心得な遊技者による不正行為（基板収納ケースに収納される回路基板上の部品の取り替え等）を防止する必要があるため、十分な放熱効果を奏するに足る比較的大きいサイズの孔またはスリットをケース本体の外壁部に多数穿設することは困難である。一方、基板収納ケース本体の外壁によって隔離されたケース内部空間に上記発熱部品の放熱を行うための放熱材を内設する手段、或いは当該内部空間自体を拡張して発熱部品を冷却する内部空気容量を増大させる手段等によって基板収納ケース内の温度を下げることも考えられる。しかしながら、これら手段によって十分な放熱効果をあげるためには当該基板収納ケースの構造自体を大型化する必要があり、限られた場所に数多くの部材類を配置せざるを得ない現行のパチンコ機においては望ましい方策ではない。
【０００６】
本発明は、従来のパチンコ機における基板収納ケースの放熱上の課題を解決するものであり、その目的とするところは、基板収納ケース自体の大型化および放熱用孔の増設を行うことなく、上記放熱効果を向上させたパチンコ機における基板収納ケースを提供することである。
【０００７】
【課題を解決するための手段】
上記目的を達成するために、本発明においては、パチンコ機に装着される回路基板を樹脂製の基台とケースカバーとで収納した基板収納ケースであって、前記回路基板に、該回路基板に配設された発熱部品に当接固着すると共にその一端部が前記ケースカバーの天板部分の内側面に近接した位置まで延設される放熱板を配置する一方、前記ケースカバーの天板部分の外側に、放熱効果の高い金属製の放熱部材を設け、該放熱部材と前記放熱板の一端部とを前記ケースカバーを貫通するビスによって連結したことを特徴とするパチンコ機における基板収納ケース（以下「本発明の基板収納ケース」という。）を提供する。
【０００８】
なお、本明細書において「パチンコ機」とは、いわゆるパチンコ遊技を行なうための遊技機の総称であり、特定のパチンコ遊技（典型的には、鋼球を遊技盤上の所定の入賞口に入れて所定の賞品球を獲得する遊技）を実施する機種に限定されない。従って、ホールに一般的に設置されている所謂パチスロ機等も本明細書におけるパチンコ機に包含される。さらにまた、本明細書において「発熱部品」とは、パチンコ機に使用される回路基板に配設され得る部品であって、通電時に発熱する部品（典型的にはレギュレータＩＣやＦＥＴのようなトランジスタ）の総称であり、特定の部品や素子に限定されない。従って、基板収納ケースに収納される回路基板に配設され得る種々の増幅器は上記発熱部品に包含される。
【０００９】
本発明の樹脂製の基台とケースカバーとからなる基板収納ケースでは、回路基板に、該回路基板に配設された発熱部品に当接固着すると共にその一端部が前記ケースカバーの天板部分の内側面に近接した位置まで延設される放熱板を配置しており、この放熱板に発熱部品で発生した熱がいわゆる熱伝導現象によって移動してくるように構成されている。このため、本発明の基板収納ケースにおいては、回路基板に配設された発熱部品で発生した熱は上記熱伝導現象によって放熱板に移動し、次いで当該放熱板とビスによって連結され且つ基板収納ケースの天板部分の外面に露出した放熱部材から放熱される。すなわち、本発明の基板収納ケースでは、通電時において、発熱部品（高温部）と放熱部材（低温部）との間に常に温度勾配が生じている。このため、ケース内の回路基板に配設された発熱部品から生じた熱は、順次、効率よく放熱部材に移動することとなる。
【００１０】
従って、本発明の基板収納ケースによれば、発熱部品からケース内部空間に放射される熱量を低減させることができるため、当該内部空間の容積を増やす必要がない。さらに、本発明の基板収納ケースによれば、上記従来の基板収納ケースにおけるような放熱用孔およびスリットに頼ることなく、基板収納ケース内部で発生した熱をケース外部に放熱させることができる。
【００１１】
また、回路基板上における発熱部品の配設場所に応じて放熱板及び放熱部材を配置することができるため、発熱部品の設置場所が回路基板の外縁近傍に限定されず、回路基板上の任意の場所に当該発熱部品を配設することができる。
【００１２】
更に、本態様の基板収納ケースによれば、放熱用孔およびスリットに頼ることなく基板収納ケース内部で発生した熱をケース外部に放熱させることができることに加え、放熱板の一部を基板収納ケースの天板部分の外面に露出させるための開口部を基板収納ケースに別途設ける必要もない。このため、上述のような不正行為をさらに的確に防止することができる。
【００１３】
【発明の実施の形態】
以下、本発明の好適な実施形態を図面を参照しつつ説明するが、これらはなんら本発明を限定するものではない。まず、図１〜図５に基づいて本発明の基板収納ケースとして好ましい第一の実施形態を説明する。
【００１４】
図１は、本発明の基板収納ケース１０を装備したパチンコ機１の裏面を示す斜視図である。このパチンコ機１は、一般的なパチンコ機と同様、長方形枠状に成形された木枠３の前面に額縁状に成形されたベース枠２が開閉可能に軸支されている。そして、図１に示すように、このベース枠２の裏面側には機構板７が脱着可能に装着されている。この機構板７には、配電盤４、賞球タンク５、賞球払出し装置９、遊技球発射装置８その他の本パチンコ機１でパチンコ遊技を実施するために必要な種々の装置類が備えられている。なお、機構板７に装着される上記装置類は一般的なパチンコ機で通常使用され得るものであればよく、本発明とは特に関連がないため、ここでの詳細な説明は省略する。
【００１５】
一方、機構板７の中央部分にはパチンコ機１の裏面側から遊技盤６が装着されている。この遊技盤６は、パチンコ機１の遊技盤面（即ち、釘や風車等を適当に配置した遊技領域）を構成するためのものであり、所定のパチンコ遊技内容に基づいて各種遊技装置（例えば、変動入賞装置、図柄表示装置、音源、装飾用固定表示灯等）が備えられている。この遊技盤６の背面部（すなわちパチンコ機１の裏面側）には基板収納ケースを装備する部位が設けられている。そして、図１に示すように、当該部位には本実施形態に係る基板収納ケース１０が装備されている。この基板収納ケース１０には、遊技盤６に装着される上記各種遊技装置類をプログラム制御するための回路基板２０が収納されている（図３参照）。以下、本パチンコ機１に装備される本実施形態に係る基板収納ケース１０について詳細に説明する。
【００１６】
図２は、本実施形態に係る基板収納ケース１０の外形を示した斜視図である。この図に示すように、本基板収納ケース１０は中空箱状の外形をしており、その外壁部分は半透明の合成樹脂からなる基台１４とケースカバー１２とから構成されている。この基台１４は回路基板２０を収納し得るように枠状に成型されている（図４参照）。そして、その基台１４枠内には遊技盤６に装備されている上記各種遊技装置の制御（例えば、図柄表示器の表示制御や、可変入賞口の拡開制御等）を行うための回路基板２０が嵌装されており、本パチンコ機１におけるメイン制御部を構成している。この回路基板２０には、予めプリント配線（図示せず）が形成されており、当該配線上には遊技盤６に装備される上記各種遊技装置類を制御する制御回路を構成するための各種部品がプリント配線に従って配設されている。
【００１７】
一方、上記ケースカバー１２は、基台１４に収納された上記回路基板２０のコネクタ２１以外の部分を被覆するように上記嵌装された回路基板２０にビス１３によって取り付けられている。すなわち、本基板収納ケース１０においては、コネクタ２１配設部分を除く回路基板２０の主要部分が上記ケースカバー１２によって被覆されており、当該被覆された部分に配設される各種部品を外部から隔離することができる（図２参照）。なお、ケースカバー１２の外側に配設されている上記コネクタ２１は、回路基板２０と遊技盤６に装備される遊技装置類および／または機構板７に装備される装置類とを電気的に接続するためのものであり、パチンコ機１を使用する際には上記装置類に接続されている配線ケーブル（図示せず）が当該コネクタ２１に連結される。本基板収納ケース１０ではコネクタ２１が外部に露出しているため、遊技盤６に本基板収納ケース１０を装着したままでコネクタ２１に配線ケーブルを脱着することができる。
【００１８】
次に、本基板収納ケース１０に設けられている放熱部の構成について図面を参照しつつ説明する。なお、図３は本基板収納ケース１０に収納された回路基板２０の概要をケースカバー１２を取り外した状態で模式的に示した斜視図である。図４は図２におけるＡ−Ａ線矢視断面図である。図３に模式的に示すように、基台１４に嵌装された回路基板２０上には、遊技盤６に装備される上記各種遊技装置類の動作を制御するための種々の部品が、プリント配線（図示せず）に従って配設されている。そして、この回路基板２０上には、典型的な演算装置（ＣＰＵ）、メモリ装置（ＲＯＭ等）、コンデンサ等の部品や素子に加え、上記発熱部品に該当するレギュレータＩＣ１８が複数配設されている。このレギュレータＩＣ１８は、入力や出力負荷の変動に関係することなく出力電圧や電流を一定に保つためのものであり、通電時にはレギュレータＩＣ１８の本体部分から相当レベルの発熱を生じる。なお、本実施形態においては、上記レギュレータＩＣ１８は回路基板２０の外縁近傍に配置されている（図３）。
【００１９】
図３および図５に示すように、このレギュレータＩＣ１８の背面部において、多数の冷却フィン１６ａを備えた金属製の放熱板１６が回路基板２０上に取り付けられている。そして、この放熱板１６には、上記レギュレータＩＣ１８の背面部がビス１９および必要に応じて耐熱性接着剤によって密着するように取り付けられている。この結果、レギュレータＩＣ１８で発生した熱は熱伝導によって金属製の放熱板１６に移動し、次いで移動してきた熱は当該放熱板１６の冷却フィン１６ａ部分を介して空気中に放熱されることとなる。
【００２０】
一方、図２および図４に示すように、上記ケースカバー１２には、上記放熱板１６に備えられた冷却フィン１６ａの一部が基板収納ケース１０外面に露出され得るサイズの開口部１２ａが予め設けられている。このため、当該ケースカバー１２を回路基板２０および基台１４に装着した際には、上記開口部１２ａより冷却フィン１６ａ部分のみがケース外面に露出するとともに、開口部１２ａと当該露出した冷却フィン１６ａ部分との間に、上記不正行為を誘発させ得るような間隙が形成されない（図２および図４参照）。
【００２１】
而して、上記放熱板１６とケースカバー１２とから成る本基板収納ケース１０の放熱部においては、レギュレータＩＣ１８で発熱した熱を熱伝導によって放熱板１６に移動させることができ、次いで基板収納ケース１０外面に露出している当該放熱板１６の冷却フィン１６ａ部分から基板収納ケース１０外部に放熱することができる。従って、本実施形態に係る基板収納ケース１０においては、回路基板２０上に存在する発熱部品（レギュレータＩＣ１８）で発生する熱を熱伝導を利用して積極的にケース外部に放熱することができる一方、ケース内部空間に放出される熱量を低減することができ、従来の基板収納ケースにおけるような放熱用孔やスリットを別途設ける必要がない。
【００２２】
次に、本発明の基板収納ケースとして好適な第二の実施形態を図面を参照しつつ説明する。図６および図７は、各々、本実施形態に係る基板収納ケース３０の放熱部の構成を模式的に示した断面図および平面図である。本実施形態に係る基板収納ケース３０は、上記放熱部が基板収納ケース３０の外形を形成する外壁に相当するケースカバー３２の一部を包含しつつ構成されていることを特徴とする。なお、本実施形態に係る基板収納ケース３０は、後述する部分以外の構成、形状等は上記第一の実施形態に係る基板収納ケース１０と同様である。
【００２３】
本実施形態に係る基板収納ケース３０では、ケースカバー３２の一部（または全部であってもよい）が放熱効果の高い金属（典型的には鉄、銅、アルミまたはチタン等）によって形成されており、当該金属製部分は本基板収納ケース３０における上記放熱部の一部を成すものである。なお、図６および図７に示すように、ケースカバー３２の上記金属製部分の内側には、回路基板２０上に配設されているレギュレータＩＣ１８の位置決めおよび固定配置のためのサポート片３３ａ，３３ｂ，３３ｃが設けられている。而して、このケースカバー３２を回路基板２０および基台１４に装着する際には、上記発熱部品に該当するレギュレータＩＣ１８が、サポート片３３ａ，３３ｂ，３３ｃによって上部および左右側部が包囲され、所定の場所に位置決めされる。そして、上記位置決めされた結果、レギュレータＩＣ１８はケースカバー３２の上記金属製部分の内側にビス１９および必要に応じて耐熱性接着剤によって容易に密着状態で取り付けられる。このことによって、当該レギュレータＩＣ１８で発生した熱は熱伝導によってケースカバー３２の上記金属製部分に移動し、次いで移動した熱は当該部分より空気中（すなわちケース外部）に放熱される。
【００２４】
従って、本実施形態に係る基板収納ケース３０においては、放熱部（ここでは上記ケースカバー３２のサポート片３３ａ，３３ｂ，３３ｃを含む金属製部分とビス１９とからなる）に上記金属製部分が包含される結果、上述の第一の実施形態の基板収納ケース１０と同様に回路基板２０上に存在する発熱部品（レギュレータＩＣ１８）で発生する熱を熱伝導を利用して積極的にケース外部に放熱することができる。
【００２５】
次に、本発明の基板収納ケースとして好適な第三の実施形態を図８を参照しつつ説明する。本図は、本実施形態に係る基板収納ケース４０の放熱部の構成を模式的に示した断面図である。本実施形態に係る基板収納ケース４０は、上記放熱部が基板収納ケース４０の外形を形成する外壁に相当する基台４４の一部を包含しつつ構成されていることを特徴とする。なお、本実施形態に係る基板収納ケース４０は、後述する部分以外の構成、形状等は上記第一の実施形態に係る基板収納ケース１０と同様である。
【００２６】
本実施形態に係る基板収納ケース４０では、図８に示すように、基台４４の周縁部が回路基板２０上に配設されているレギュレータＩＣ１８の上端部よりやや高い位置となるように形成されている。ここで当該周縁部の一部（または周縁部の全て或いは基台４４全体であってもよい）が放熱効果の高い金属（典型的には鉄、銅、アルミまたはチタン等）によって形成されており、当該金属製部分は本基板収納ケース４０における上記放熱部の一部を成すものである。そして、図８に示すように、基台４４周縁部の上記金属製部分の内側には、回路基板２０上に配設されているレギュレータＩＣ１８が上記第二の実施形態におけるのと同様にビス１９および必要に応じて耐熱性接着剤によって密着状態で取り付けられている。この結果、当該レギュレータＩＣ１８で発生した熱は熱伝導によって基台４４周縁部の上記金属製部分に移動し、次いで移動した熱は当該部分より空気中（すなわちケース外部）に放熱される。
【００２７】
従って、本実施形態に係る基板収納ケース４０においては、放熱部（ここでは上記基台４４の金属製部分とビス１９とからなる）に基台４４周縁部の上記金属製部分が包含される結果、上述の第二の実施形態の基板収納ケース３０と同様に回路基板２０上に存在する発熱部品（レギュレータＩＣ１８）で発生する熱を熱伝導を利用して積極的にケース外部に放熱することができる。
【００２８】
次に、本発明の基板収納ケースとして好適な第四の実施形態を図面を参照しつつ説明する。図９および図１０は、各々、本実施形態に係る基板収納ケース５０の放熱部の構成を模式的に示した断面図および斜視図である。なお、本実施形態に係る基板収納ケース５０における後述する部分以外の構成は上記第一の実施形態に係る基板収納ケース１０と同様である。
【００２９】
図９に示すように、本実施形態に係る基板収納ケース５０においては、上述の各実施形態と同様、回路基板２０上にレギュレータＩＣ１８が配設されている。この背面部には冷却フィン５６ａを備える放熱板５６が配置されており、当該放熱板５６には上記第一の実施形態と同様にレギュレータＩＣ１８の背面部がビス１９等によって固着されている。この放熱板５６は、回路基板２０および基台１４にケースカバー５２が装着された際に当該ケースカバー５２の天板部分に近接するように上方に延伸成型されており、その頂端部はビス５９によって当該ケースカバー５２の天板部分内側に固定されている（図９参照）。この構成の結果、レギュレータＩＣ１８で生じた熱はその背面部より放熱板５６に熱伝導され、当該放熱板５６に移動した熱は、さらに熱伝導によってケースカバー５２の天板部分に配される上記ビス５９に移動する。
【００３０】
一方、上記ケースカバー５２の天板部分外側には、放熱効果の高い金属（典型的には鉄、銅、アルミまたはチタン等）によって形成されたフィン付き放熱部材５７が上記ビス５９によって取り付けられている。すなわち、本実施形態に係る基板収納ケース５０においては、ケースカバー５２を貫通して取り付けられている上記ビス５９に放熱板５６と放熱部材５７とが接触することとなる。従って、上述のとおり放熱板５６から上記ビス５９に移動した熱は、さらに当該ビス５９を通ってケースカバー５２外面の放熱部材５７に熱伝導され得、次いで当該放熱部材５７の表面から空気中（すなわちケース外部）に放熱される（図１０）。
【００３１】
従って、本実施形態に係る基板収納ケース５０においては、放熱部が上述の放熱板５６、ビス５９および放熱部材５７から構成される結果、上記第一、第二および第三の実施形態に係る基板収納ケースと同様の放熱効果を奏することに加え、回路基板２０上における発熱部品（レギュレータＩＣ１８）の配設場所に応じて当該放熱部を構成することができる。このため、発熱部品の設置場所が回路基板２０の外縁近傍に限定されず、回路基板２０上の任意の場所に当該発熱部品を配設することができる。
【００３２】
次に、本発明の基板収納ケースとして好適な第五の実施形態を図面を参照しつつ説明する。図１１は、本実施形態に係る基板収納ケース６０の放熱部の構成を模式的に示した断面図である。なお、本実施形態に係る基板収納ケース６０における後述する部分以外の構成は上記第一の実施形態に係る基板収納ケース１０と同様である。本実施形態に係る基板収納ケース６０は、パチンコ機の機構板７に埋設されるように構成されている。図１１に示すように、本実施形態に係るパチンコ機の機構板７の一部には上記回路基板２０を装着するための凹部７ａが予め設けられており、その凹部７ａの所定の位置には上記回路基板２０が装着されている。そして、回路基板２０のコネクタ２１（図２参照）以外の部分を被覆するようにして、ケースカバー６２が機構板７の表面にビス６９によって取り付けられている。
【００３３】
すなわち、本実施形態に係る基板収納ケース６０においては、機構板７に設けられた上記凹部７ａが他の実施形態に係る基台１４の代替を成すものであり、結果、本基板収納ケース６０の外壁部はケースカバー６２から構成されている。そして、図１１に示すように、本実施形態に係る基板収納ケース６０においては、上記第四の実施形態に係る基板収納ケース５０と同様、回路基板２０上にレギュレータＩＣ１８が配設されている。この背面部には冷却フィン５６ａを備える放熱板５６が配置されており、当該放熱板５６には上記第一の実施形態と同様にレギュレータＩＣ１８の背面部がビス１９等によって固着されている。この放熱板５６は、機構板７にケースカバー６２が取り付けられた際に当該ケースカバー６２の天板部分に近接するようにレギュレータＩＣ１８からみて上方に延伸成型されており、その頂端部はビス５９によって当該ケースカバー６２の天板部分内側に固定されている（図１１参照）。この構成の結果、上記第四の実施形態と同様、レギュレータＩＣ１８で生じた熱はその背面部より放熱板５６に熱伝導され、当該放熱板５６に移動した熱は、さらに熱伝導によってケースカバー６２の天板部分に配される上記ビス５９に移動する。
【００３４】
一方、上記第四の実施形態と同様に上記ケースカバー６２の天板部分外側には、放熱効果の高い金属（典型的には鉄、銅、アルミまたはチタン等）によって形成されたフィン付き放熱部材５７が上記ビス５９によって取り付けられている。従って、上述のとおり、放熱板５６から上記ビス５９に移動した熱は、さらに当該ビス５９を通ってケースカバー６２外面の放熱部材５７に熱伝導され得、次いで当該放熱部材５７の表面から空気中（すなわちケース外部）に放熱される。
【００３５】
従って、機構板７に埋設するように設けられた本実施形態に係る基板収納ケース６０においても、放熱部が上述の放熱板５６、ビス５９および放熱部材５７から構成される結果、上記第四の実施形態に係る基板収納ケース５０と同様の放熱効果が奏されることに加え、回路基板２０上における発熱部品（レギュレータＩＣ１８）の配設場所に応じて当該放熱部を構成することができる。このため、発熱部品の設置場所が回路基板２０の外縁近傍に限定されず、上記機構板７の凹部７ａに装着された回路基板２０上の任意の場所に当該発熱部品を配設することができる。
【００３６】
以上、パチンコ機に装備される本発明の基板収納ケースの好適な各実施形態を図面を参照しつつ説明したが、本発明においては、基板収納ケースの外面に放熱部の少なくとも一部を露出させるか、或いは当該露出の一態様としてケース本体外壁部の一部を放熱部の一部として包含させるかして、当該露出部分に発熱部品からの熱が伝導されるようにすればよく、上記各実施形態で示した形状に限定されるものではない。
【００３７】
例えば、上記第四の実施形態に係る基板収納ケース（図９および図１０参照）の一変更例として、放熱板５６の上方を延伸し、そのままケースカバー５２の天板部分を貫通させてもよい。この場合、ケースカバー５２の外面において上記ビス５９を介さずに上記貫通させた放熱板５６の露出部分に上記放熱部材５７（図９）を熱伝導可能に密着させることができ、その結果、当該放熱板５６の露出部分および放熱部材５７の両方から放熱することができる。
【００３８】
また、上記第二または第三の実施形態に係る基板収納ケース（図６〜図８参照）のような、放熱部における上記放熱部露出部分としてケース本体の外壁の一部が包含される場合において、当該部分（すなわち、上記第二または第三の実施形態におけるケースカバーまたは基台の金属製部分）を予め上記冷却フィンのような波状成型しておくことで放熱効果をさらに高めることができる。このような変更例は本発明の実施の一例であり、本明細書および図面に開示された情報に基づく当業者の設計事項にすぎないものであり、本願特許請求の範囲から逸脱するものではない。
【００３９】
【発明の効果】
本発明によれば、パチンコ機における基板収納ケースであって、内部に収納される回路基板に配設される発熱部品の熱を熱伝導によって外部に放熱し得る放熱板及び放熱部材を設けた基板収納ケースを提供することができる。
【００４０】
本発明の基板収納ケースでは、上記放熱部材が当該基板収納ケースの外面に露出しており、回路基板に配設された発熱部品で発生した熱が熱伝導によって当該放熱部材から放熱される。すなわち、本発明の基板収納ケースによれば、発熱部品（高温部）と放熱部材（低温部）との間に常に温度勾配を生じさせることができるため、ケース内の回路基板に配設された発熱部品から生じた熱を熱伝導によって、順次、効率よく放熱部材に移動させることができる。
【００４１】
従って、本発明の基板収納ケースによれば、発熱部品からケース内部空間に放射される熱量を低減させることができるため、当該内部空間の容積を増やす必要がない。さらには、本発明の基板収納ケースによれば、従来のパチンコ機における基板収納ケースのような放熱用孔およびスリットを基板収納ケース本体外壁部に別途設ける必要がないため、当該孔およびスリットに起因する不正行為（回路基板上の部品交換等）を抑止することができる。
【図面の簡単な説明】
【図１】  本発明の一実施形態に係る基板収納ケースを装備したパチンコ機の裏面を示す斜視図である。
【図２】  本発明の一実施形態に係る基板収納ケースの外形を示す斜視図である。
【図３】  本発明の一実施形態に係る基板収納ケースに収納された回路基板を模式的に示す斜視図である。
【図４】  図２のＡ−Ａ線矢視断面図である。
【図５】  本発明の一実施形態に係る放熱板を示す斜視図である。
【図６】  本発明の一実施形態に係る基板収納ケースの放熱部の構成を模式的に示した断面図である。
【図７】  本発明の一実施形態に係る基板収納ケースの放熱部の構成を模式的に示した平面図である。
【図８】  本発明の一実施形態に係る基板収納ケースの放熱部の構成を模式的に示した断面図である。
【図９】  本発明の一実施形態に係る基板収納ケースの放熱部の構成を模式的に示した断面図である。
【図１０】  本発明の一実施形態に係る基板収納ケースの外形を示す斜視図である。
【図１１】  本発明の一実施形態に係る基板収納ケースの構成を模式的に示した断面図である。
【符号の説明】
１  パチンコ機
６  遊技盤
７  機構板
７ａ  凹部
１０，３０，４０，５０，６０  基板収納ケース
１２，３２，４２，５２，６２  ケースカバー
１４，４４  基台
１６，５６  放熱板
１８  レギュレータＩＣ
２０  回路基板
５７  放熱部材
【図１】
0004189520.tif 000002
【図２】
0004189520.tif 000003
【図３】
0004189520.tif 000004
【図４】
0004189520.tif 000005
【図５】
0004189520.tif 000006
【図６】
0004189520.tif 000007
【図７】
0004189520.tif 000008
【図８】
0004189520.tif 000009
【図９】
0004189520.tif 000010
【図１０】
0004189520.tif 000011
【図１１】
0004189520.tif 000012